(57)【要約】【課題】  本発明の目的とするスキャニングヘッドは、コンパクトで安価で且つ多重モードのオペレーションが可能であり、更に内部ＬＥＤ光源を使用した本質安全運転が可能であり、また用途が広く低コントラストの媒体に対しても高感度で高精度の作動が可能である。【解決手段】  ウエッブ上のレジスターマークを検知するためのレジスターマーク検知装置における使用のためのスキャニングヘッドが、前記ウエッブと前記スキャニングヘッドとの間での相対的動きにおいて適切に具備されており、更に前記スキャニングヘッドは、光学センサと、それを介して前記光学センサの視界フットプリントを規定する開口を有する、第１の光学マスクとを具備する。【選択図】      図３
2004222284.tif 000002
【特許請求の範囲】
【請求項１】
ウエッブ表面又は別の表面上の記録マーク／形状を検知するための記録マーク検知装置における使用に適したスキャニングヘッドにおいて、このスキャニングヘッドが、
光学センサと、
それを介して前記光学センサの視界フットプリントを規定する開口を有する、第１の光学マスクと、
を具備するスキャニングヘッド。
【請求項２】
前記第１の光学マスクは、前記スキャニングヘッドへの光学開口において又はその近くに設置される請求項１に記載のスキャニングヘッド。
【請求項３】
前記第１の光学マスクは使用において、前記表面に非常に隣接して且つそれに平行な平面に配置される請求項１又は２のいずれかに記載のスキャニングヘッド。
【請求項４】
前記第１のマスクは、10mmより小さく、使用において前記表面から３から５mmまでの間にある請求項１から３のいずれか一項に記載のスキャニングヘッド。
【請求項５】
適切に前記スキャニングヘッドは、前記表面の視界フットプリントを照らすための光源を更に具備しており、前記光源は、固体状態で低パワーの光源である請求項１から４のいずれか一項に記載のスキャニングヘッド。
【請求項６】
前記光源は１つ以上のＬＥＤを具備する請求項５に記載のスキャニングヘッド。
【請求項７】
前記スキャニングヘッドは、光源を具備しており、
前記光源は前記スキャニングヘッド内に配置されて、前記表面の直進反射照明を形成する請求項１から６のいずれか一項に記載のスキャニングヘッド。
【請求項８】
透明なウェッブ媒体のために、鏡は、前記スキャニングヘッドと組み合わせて具備されおり、前記スキャニングヘッドからの前記ウェッブの対向する面に設置されて、光を前記ウェッブを通り前記スキャニングヘッドへ反射して戻す、
請求項７に記載のスキャニングヘッド。
【請求項９】
前記スキャニングヘッドは、光源を具備しており、
前記光源は、前記スキャニングヘッドに配置されて、前記表面の拡散照明を提供する、
請求項１から８のいずれか一項に記載のスキャニングヘッド。
【請求項１０】
前記スキャニングヘッドはＵＶ光源と、ＵＶセンサとを有する請求項１から９のいずれか一項に記載のスキャニングヘッド。
【請求項１１】
前記スキャニングヘッドは白色光源を有する請求項１から１０のいずれか一項に記載のスキャニングヘッド。
【請求項１２】
前記スキャニングヘッドは複数の光源を具備しており、該光源は独立して使用されるか又は共に使用されるかのいずれかで選択されても良い請求項１から１１のいずれか一項に記載のスキャニングヘッド。
【請求項１３】
少なくとも２つの光源は発する光の波長においてお互いに異なる請求項１２に記載のスキャニングヘッド。
【請求項１４】
前記複数の光源の内の少なくとも一つは、前記スキャニングヘッド内に配置されて、前記表面の直進反射照明を形成しており、もう一方の光源は前記スキャニングヘッド内に配置されて、前記表面の拡散照明を形成する請求項１２又は１３のいずれかに記載のスキャニングヘッド。
【請求項１５】
前記スキャニングヘッドは、前記第１のマスクに直列である開口を有する第２のマスクを有する請求項１から１４のいずれか一項に記載のスキャニングヘッド。
【請求項１６】
前記第２のマスクは、前記第１のマスクと、前記第１のマスクに比べて前記センサにより近く且つセンサとの間にある請求項１５に記載のスキャニングヘッド。
【請求項１７】
前記第２のマスクは使用において、前記表面ウェッブに対して、前記第１のマスクに比べて前記センサにかなりより近い請求項１５又は１６のいずれかに記載のスキャニングヘッド。
【請求項１８】
前記第１のマスクと前記第２のマスクとの間のスペースは使用において、前記表面から前記第１のマスクまでの間隔に比べて１０倍のオーダでより大きい請求項１７に記載のスキャニングヘッド。
【請求項１９】
前記第２のマスクの開口の面積は、前記第１のマスクの開口の面積に比べてより大きく、前記表面から前記第１のマスクまでの間隔に対する前記第１と第２のマスクの間隔の比と実質的に同じ比である、請求項１６に記載のスキャニングヘッド。
【請求項２０】
前記マスクの開口、又は２つのマスクが存在する場合の前記マスクの少なくとも一方の開口は使用において、前記表面において見られる記録マークの形状と同じか又は同様である、形状により形成される請求項１から１９のいずれか一項に記載のスキャニングヘッド。
【請求項２１】
前記マスクの開口、又は２つのマスクが存在する場合の前記マスクの少なくとも一方の開口は、合成である形状、即ち単に、単一の線又は正方形又は円形ではない形状であり、更に、例えば星形状又はＬ又はＵ形状等の多数の線又は部分有するか、あるいは多数の孔又はスロット／スリットを具備する形状により形成される、
請求項１から２０のいずれか一項に記載のスキャニングヘッド。
【請求項２２】
前記スキャニングヘッドは、前記マスクの取り外しを可能にして、異なる開口形状又は寸法を備えるマスクとの交換を可能にするように形成される請求項１から２１いずれか一項に記載のスキャニングヘッド。
【請求項２３】
請求項１から２２のいずれか一項に記載のスキャニングヘッドを具備する、プリントプレスのプリント記録デバイス。
【請求項２４】
請求項２３に記載のプリント記録デバイスを具備するプリントプレス。
【発明の詳細な説明】
【技術分野】
【０００１】
本発明は、スキャニング（走査）ヘッド及びその改善に係わり、例えばプリント（印字）記録（レジスター）マークの検知用又は折り曲げ線記録用のプリント（印刷）産業において使用されるスキャニングヘッド等のスキャニングヘッド及びその改善に関する。スキャニングヘッドは、可動式スキャニング構成要素を有しても良く、あるいはより通常にはプリント産業における用途のために、可動構成要素を有さない静止モジュールであっても良く、更にそこでは監視されるべきマークは、例えばプリントウェッブ等の基板上にあり、前記基板はスキャニングヘッドを通過するように移動される。スキャニングヘッドは、単数又は複数の光学センサを有しても良い。本発明は更に、印字プレス用のプリント記録ユニット及び印字記録のための方法に関する。
【背景技術】
【０００２】
プリント産業における原材料及び全体の生産コストの上昇及び利益マージンが、圧縮されているので、該産界では可能な箇所でのコスト節約の実施が必要である。
【０００３】
技術的進歩がコストの節約を生じる１つの分野は、印刷機（プリントプレス）及びプリント記録（レジスター）装置の設計にある。プリント記録装置の改善により、例えば４色プリントプロセスにおける各カラー層は、それらが順にプリントウェッブに実施されるので、お互いに関してレジスタ（記録器）において印刷されることを、より以上に信頼可能に確保することにより、各プリントの走行における消耗を出来るだけ少なくして、顕著な節約を実現してきた。プリント登録装置のその様な改善の例は、欧州特許EP0340897及びEP0403082に説明されている。各ケースにおいて、１以上の光学センサの列は、プリントウェッブ上のプリント登録マークを検知するためにプリントウェッブ上を覆う、１つ以上のスキャニングヘッド内に具備されており、スキャニングヘッドに接続する処理装置（プロセッサ）は、センサからの信号を監視して、１つのセンサ又はセンサのグループがプリント記録マークの通過を検知した時間を決定する。
【発明の開示】
【発明が解決しようとする課題】
【０００４】
多くの改善が、プリント記録装置の運転上の効率及び有効性において得られたが、しかしハードウエアのコストは効果的に節減されては来なかった。従って、本発明の１つの主な目的はプリント記録装置のより経済的な構造を提供し、その際プリント産業が期待し必要としてきた正確性及び信頼性の高度な基準を維持することである。本発明の別の主な目的は、プリント記録スキャニングヘッドのよりコンパクトな構造を提供することである。
【課題を解決するための手段】
【０００５】
本発明の第１の形態に従い、ウエッブ表面又は別な表面上の記録（レジスター）マーク／形状を検知するための記録マーク検知装置における使用に適したスキャニングヘッドが、具備されており、前記表面と前記スキャニングヘッドとの間での相対的動きにおいて適切に使用されており、更に前記スキャニングヘッドは、光学センサと、それを介して前記光学センサの視界（ビュー）フットプリント（占有面積）を規定する開口を有する、第１の光学マスクとを具備する。
【０００６】
光学マークは、焦点レンズ又は鏡の変わりに、光学センサの視界のフットプリントを規定するように、即ち視界が照明を受ける光学センサの知覚面の内のその部分を区切るように作用する。もし任意のレンズが受信光の経路に存在するならば、これは単に前記光学センサのレンズ面である。もし任意の鏡が受信光の経路に存在するならば、これは適切に唯方向を変えるが、光を焦点に集中しない。
【０００７】
前記光学センサの視界フットプリントは、前記光学センサの知覚面積に比べて適切に実質的により小さく、前記スキャニングヘッドは使用において、前記スキャニングヘッドにより見られる前記ウェッブ上の記録マークの面積と同じか又は同様である前記ウェッブの面積（前記ウェッブの視界フットプリント）を見る用途で形成されることが好ましい。
【０００８】
前記第１の光学マスクは、前記スキャニングヘッドへの光学的開口において又はその近くに設置されることが好ましく、使用において前記ウェッブに非常に隣接して且つそれに平行な平面に配置されることが特に好ましい。
【０００９】
好適な実施の形態において前記第１のマスクは、10mmより小さく、使用において前記ウェッブから３から５mmまでの間にあることが好ましい。
【００１０】
適切には前記スキャニングヘッドは、前記ウェッブの視界フットプリントを照らすための光源を更に具備しており、前記光源は、固体状態（リソッドステート）で低パワーの光源であることが好ましく、更に１つ以上のＬＥＤを具備することが特に好ましい。
【００１１】
前記スキャニングヘッドは、前記スキャニングヘッド内に配置される光源を具備して、前記ウェッブの直進反射照明を形成することが好ましい。適切には透明なウェッブ媒体のために、鏡は、前記スキャニングヘッドと組み合わせて具備されおり、前記スキャニングヘッドからの前記ウェッブの対向する面に設置されて、光を前記ウェッブを通り前記スキャニングヘッドへ反射して戻す。
【００１２】
前記スキャニングヘッドは、前記スキャニングヘッドに配置されて前記ウェッブの拡散照明を提供する、光源を具備することが好ましい。
【００１３】
１つの実施の形態において、前記スキャニングヘッドは、白色光源を有しており、前記センサは可視スペクトルを横切る光を検知するように形成される。
【００１４】
前記スキャニングヘッドはＵＶ光源を有することが好ましく、更にセンサはＵＶセンサであることが好ましい。
【００１５】
前記スキャニングヘッドは複数の光源を具備することが好ましく、該光源は独立して使用されるか又は共に使用されるかのいずれかで選択されても良い。適切には少なくとも２つの光源は、発する光の波長においてお互いに異なる。
【００１６】
複数の光源の内の少なくとも一つは、前記スキャニングヘッド内に配置されて、前記ウェッブの直進反射照明を形成することが好ましく、もう一方の光源は前記スキャニングヘッド内に配置されて、前記ウェッブの拡散照明を形成することが好ましい。
【００１７】
前記スキャニングヘッドは、前記第１のマスクに直列の開口を有する第２のマスクを有することが特に好ましい。これは更に、感度及び精度を向上する前記光学センサの視界フットプリントを形成する。更に多数のマスクの使用は、波長好感度ではなく、異なる光波長のスキャニングを促進する。
【００１８】
使用において前記第２のマスクは、前記第１のマスクと前記センサとの間にあることが好ましく、前記第１のマスクまでの距離に比べて前記センサにより近いことが好ましく、更に、前記ウェッブまでの前記第１のマスクの距離に比べて、前記センサに充分より近いことが好ましい。
【００１９】
前記第１のマスクと前記第２のマスクとの間のスペースは使用において、前記ウェッブから前記第１のマスクまでの間隔に比べて１０倍のオーダでより大きいことが好ましい。前記第２のマスクの開口の面積は、前記第１のマスクの開口の面積に比べてより大きいことが好ましく、前記ウェッブから前記第１のマスクまでの間隔に対する前記第１と第２のマスクの間隔の比と実質的に同じ比であることが好ましい。
【００２０】
前記マスクの開口、又は２つのマスクが存在する場合の前記マスクの少なくとも一方の開口は使用において、前記プリントウェッブにおいて見られる記録マークの形状と同じか又は同様である、形状により形成されることが特に好ましい。前記マスクの開口、又は２つのマスクが存在する場合の前記マスクの少なくとも一方の開口は、合成である形状、即ち単に、単一の線又は正方形又は円形ではないが、多数の線又は部分（例えば、星形状又はＬ又はＵ形状）を有するか、あるいは多数の孔又はスロット／スリットを具備する形状により形成されることが好ましい。これらの改善はやはり、記録マーク検知の精度及び信頼性を向上する。
【００２１】
前記スキャニングヘッドは、前記マスクの取り外しを可能にして、異なる開口形状又は寸法を備えるマスクとの交換を可能にするように形成されることが適切である。
【００２２】
本発明の第２の形態に従い、本発明の第１の形態のスキャニングヘッドを具備するプリントプレスのプリント記録デバイス（装置）が提供されており、本発明の第３の形態に従い、その様なプリント記録デバイスを具備するプリントプレス（印刷機）が提供される。前記プリント記録デバイスは、記録を検知するための前記スキャニングヘッドの１以上のセンサからの信号を監視するための処理装置を有するか、またはそれに接続して作動する。
【００２３】
本発明は添付の図面を参照して、例により以下で、より特別に説明されるであろう。
【発明を実施するための最良の形態】
【００２４】
先ず図１を参照すると、これは本発明の原理を説明しており、それは、適当には光電性ダイオード等の、スキャニングヘッド・光センサ１を示しており、前記光センサ１はプリントウェッブ４上に配置されて、適切に配置されていて且つウェッブ４上の記録マークのフットプリントに比べて僅かだけより大きい、ウェッブ１の小さな部分／視界フットプリント５から反射されて戻る光を受信する。
【００２５】
従来のスキャニングヘッドとは全く対照的に、光を光学センサ１に焦点を集中するための光学センサ１から離れて間隔を有する、高価な焦点（focussing）レンズ又は鏡は存在していないが、しかしセンサ１は図に示されるように、小さな一体式受光レンズを有しても良い。高価な別体のレンズ又は焦点鏡の代わりに、スキャニングヘッドは、高い前方（foward）ゲイン（入出力比）及び狭いビーム幅（例えば、１０度）を備えるセンサ１を有しており、光学センサ１とウェッブ４との間に配置された一対の光学的マスク２，３を使用してストレイ（迷走）ライト（光）がセンサ１に達することを阻止する。
【００２６】
マスク２，３の各々はそれぞれの開口６，９を有するので、記録マークがセンサ１の付近を通過する際に、センサ１は、ウェッブ４上の記録マーク５のフットプリントに概略対応するウェッブ１の小さな視界区域５から反射して戻る、光だけを受光する。各開口６，９は、細長いスロット形状の開口であるように示される。これは適切には、プリントウェッブ４上で使用される記録マークの形状に対応する。
【００２７】
ウェッブ４に最も近い、第１のマスク２に関して、開口６の寸法は適切には、ウェッブ４上の視界フットプリント５と同じ寸法である。
【００２８】
第１のマスク２は、ウェッブ４に平行な平面に設置されており、ウェッブ４から２，３mmのオーダーの非常に短い固定された距離の間隔で離れる。第１のマスクは、記録マーク５の主な識別を実施し、プリントウェッブ４にその様に近くにあることの結果として、ほとんど全体として焦点にある。図解例において、第１のマスク２は、ウェッブ４から４mmだけの間隔で離れており、0.5ｘ0.8mmの視界区域５に対応する0.5ｘ0.8mmの開口６を有する。
【００２９】
プリントの走行中に、プリントウェッブ４はプリントフラップとして既知な振動運動を行っており、その振動運動は、質量とテンション（引っ張り力）と移動するプリントウェッブ４の移動速度とにより決まる大きさで、ウェッブ４からの第１のマスク２までの間隔を周期的に変化させるので、好適なスキャニングヘッドの位置決め高さ公差（プリントウェッブ４から第１のマスク２までの間隔の公差）は３mm＋／−１mmである。
【００３０】
第２のマスク３は、センサ１から２，３mmの範囲内で、第１のマスク２から40mm離れた範囲内に設置されており、第１のマスク２とセンサ１に整列するので、プリントウェッブ４から反射されていて且つ第１のマスク２の開口６を通過した、光はその後第２のマスク３の開口９を通過して、センサ１の知覚面に到達するはずである。
【００３１】
図１に示されるように、ウェッブ４から反射された光は、第１のマスク２により、上部７及び下部８境界線の範囲内にあるビームに制限される。図２の平面図において、ビームの横方向の境界は、境界線１１，１２により示される。プリントウェッブ４上の目標フットプリント／実像区域５の影（ウンブラ）１３及び半影（ペヌンブラ）１４は、光が開口６を通過する際に、交差（クロスオーバー）する。
【００３２】
第２のマスク３は、センサ１への光入力を制限する一方で、更に良好な信号対ノイズ比の十分な光を許容する。必要な最終的光学フットプリントは一般的に、センサ１の大口径の円形受光レンズ／検知（センサ）面と同様でなく、小さく且つ非円形であるので、第２のマスク３は、第１のマスク２により規定されるフットプリントと、センサ１の大口径の円形受光レンズ／検知（センサ）面との間の適合の最適化を補助する。
【００３３】
受信器（レシーバ）の全体の感度と選択性能を最適化するために、第２のマスク３の開口９の面積は、寸法１（マスク２，３の間の距離）の寸法２（ウェッブ４上のスキャニングヘッド高さ）に対する比に対応して、第１のマスクの開口６の面積に対して増大されており、更にそれ（寸法１と寸法２の比）は１０：１のオーダーであることが好ましい。図示される例の寸法１が40mmで、寸法２が４mmとし、更に開口６の面積が0.5mmｘ0.8mmであるとすると、開口９の選択された寸法は適切には１ｘ４mmであり、即ち開口６の面積に比べて１０倍大きい。
【００３４】
マスク開口６，９の寸法及び寸法１と２の比の適切な選択により、視界フットプリント５は非常に小さい面積に減少される。更なる最適化は、開口６，９を検知されるべき記録マークの形状に形成することにより実現される。第１のマスク２の図示される0.5ｘ0.8mmの開口６は例えば、全体の視界フットプリント面積５を変更しないで、プリント記録マークが線である、用途に適した１つの0.1ｘ４mmのスリットに調整されても良い。星形状のプリント記録マークに関して、開口６はまた適切には、星形状である。このことはやはり、記録マーク検知の信頼性を更に向上出来る。
【００３５】
開口６は、小さな開口の配列又は群により構成可能であり、その小さな開口の配列又は群は、合成されたプリント記録マークを具備する、分離した要素／（又は）線の配列又は群を再生する（replicate）ように形成される。例えば、マスク２内に開口６を具備する、２つの平行なスロット（孔）が、プリントウェッブ４上でプリント記録マークの２つの平行な線に対応するように存在しても良く、更にこれは、単一のライン（線）マークに対応する単一のスロットに比べて、プリント登録の一層より高い信頼性を提供する。
【００３６】
用途における適応性に関して、該装置は適切には、開口の別の形状又は形態を有するマスクにより置換出来る状態で、マスク６及びマスク９を交換可能なように形成される。
【００３７】
図３を参照すると、スキャニングヘッドの好適な実施の形態は、図１と２と同じ相対的位置でハウジング２０内に保持される、マスク２，３とセンサ１を有する、コンパクトな構造を有しているがしかし、第１のマスク２と第２のマスク３との間の線は、単純な低コストの（焦点集中のない）鏡１８により折り曲げられて、該ヘッドを更によりコンパクトに形成する状態になっている。
【００３８】
最適な用途の広さのために、１つ以上のセンサ１及びマスク２，３は、ハウジング２０から取り外し可能であっても良く、及び／又はそれらは、ハウジング２０内で位置調整可能であって、使用者により特別な要求のために該ヘッドを調整可能であっても良い。
【００３９】
プリントウェッブ４の視界フットプリント区域５を照らすために、スキャニングヘッドは光源として、受信（光）構成要素（センサ１及びマスク２，３）に隣接するハウジング内に設置される、一対の広角幅のＬＥＤ１５，１６を有するが、しかしバリア（障害）壁１９によりそれらから遮蔽される。これらの２つのＬＥＤ１５，１６は実質的に同一であって良く、お互いに関して同じ波長で強さの光を発光し得るが、しかしそれらは、ハウジング２０内におけるそれらの設置角度が異なっていて、スキャニングヘッドが２つの主要な異なるオペレーションモードを有することを可能にすることが重要である。
【００４０】
第１のＬＥＤ１５は、発散モードのオペレーションのためのもので、その軸線がハウジング２０の底面の法線に対して４５度で傾斜する状態でハウジング２０内に設置されており、それによりウェッブ４の法線に対して４５度の状態にあるが、その理由はハウジング２０の底面がウェッブ４に平行な平面であるからである。この第１のＬＥＤ１５は従って、第１のマスク２の開口６を介しての光学的なレシーバウィンドー内への、走査される媒体／プリントウェッブ４を経由する直接的な反射経路を有さない。それは、スキャニングオペレーションのための拡散式光源を提供するように機能しており、それ（前記光源）は、印字紙、ホログラム及び型押し印刷式(embossed)媒体上の記録マークの検知に特に適する。
【００４１】
第２のＬＥＤ１６は、直進反射モードのオペレーションのためのもので、その軸線がハウジング２０の底面の法線に対して１０度で傾斜する状態でハウジング２０内に設置されており、それによりウェッブ４の法線に対して１０度の状態にあり、前記ウェッブ４から光学的なレシーバウィンドーへの直進反射を促進する。このＬＥＤ１６は透明な媒体上の反射媒体又は印字されたマークの走査に特に有用である。後者のケースにおいて、透明な媒体の下に配置された鏡裏張り板１７は、光学的なレシーバウィンドーに対して光を反射するように使用されても良い。第２のＬＥＤ１６のオペレーションにおいて、発光光源のＬＥＤ１６から光学的な光レシーバ（受信器）／開口６への光学的経路を通る入射角及び反射角は等しい。
【００４２】
スキャナーヘッドの高さ及びＬＥＤの位置は、ＬＥＤにより照らされるプリントウェッブ４の区域が、十分な寸法であって、視界フットプリント／マスク開口６フットプリントを収容するように、適切に設計されており、更にその場合、追加的許容値がスキャナーヘッドの高さ公差及び前記したウェッブフラップのために形成されるように設計される。
【００４３】
スキャニングヘッドは、第１又は第２のＬＥＤ１５，１６が走査されるべき媒体に依存して選択される状態で、光源／オペレーションモードの間でのスイッチの選択ができるように形成される。実際に、第１と第２のＬＥＤ１５，１６の両者からの同時の光の混合は、幾つかの媒体に適するように使用されても良く、用途の広さを最大にするために、光源の波長及び強さは適切に調整可能である。このために、第１と第２のＬＥＤ１５，１６は各々、ＬＥＤのそれぞれのグループの一部であっても良く、即ち一方のグループは直進反射オペレーションに関して１０度又は同様な角度を有しており、更に他方のグループは拡散光オペレーションに関して４５度又は同様の角度を有しており、その際各グループのＬＥＤは、お互いに波長出力において異なり、単独の用途又は他のものとの組み合わせにおいて個別に選択可能である。
【００４４】
例えば、各グループのＬＥＤの１つは、例えば赤等の１つの特定の可視スペクトルの色の光を発光しても良く、その一方で別のものは、例えば緑等の異なる特定の可視スペクトルの色の光を発光しており、あるいは１つの特に好適な設計において、センサ１がＵＶの光学的レシーバを組み込む場合に、ＵＶ光であっても良い。
【００４５】
白色光ＬＥＤはこれとは別に、受光光センサ１が、全体の可視スペクトルを横切る光を検知するように形成されたアイカラー反応ディテクタ（検知器）である場合に使用可能である。ＬＥＤが１つの特定の可視スペクトルの色の光を発光する場合に、前記色は、視界の下地の媒体と適切に対比して、検知感度を向上させて、非常に薄い濃淡を検知可能にする。一つの色又は複数の色の組み合わせが視界の下地の媒体とのコントラスト（対比）を最適化するように使用されても良い。
【００４６】
ＵＶベースの検知装置（システム）は、従来の可視光ベースの装置（システム）により記録可能ではない、ＵＶ反射式クリアインク、ニス、ラッカー、低温シール、にかわ及び別のクリアな媒体の記録を可能にする。本発明のスキャニングヘッドにおけるＵＶ発光ＬＥＤ及び対応するレシーバを具備することは、それが例外的にコスト的有効性のあるＵＶ検知装置を提供するので、特に有用であり、その際、マスク２，３は、多数の石英レンズの必要性を回避し、更にスキャニングヘッドが非常に小さな媒体マークに焦点を合わせることを可能にする。
【００４７】
代替的に又は追加的に、ニス、ラッカー、低温シール、にかわ及び別のクリアな媒体は、白色光発光ＬＥＤを使用して、ＬＥＤからの光のレベルを適切に調整して、走査されても良い。
【００４８】
プリント記録検知装置の一部分としての又は別の目的のためのスキャニングヘッドのオペレーションにおいて、必要なスキャニングヘッドの機能は、制御された照明を介して達成可能である。ＵＶモードは一般的な例外として、光センサのパラメータは異なるモードに関して同一に維持される。
【００４９】
一般的に、レシーバ／センサのアナログ出力信号は、センサの視界フットプリント内で見られる際の、走査される媒体、即ちプリントウェッブのコントラスト比及び／又は型押しされた(embossed)リリーフプロフィル（浮き彫り外形）に比例する。異なる媒体のコントラスト及び反射性能における差異を認識可能にするために、レシーバ、即ちセンサのアナログ出力信号は適切にゲイン（入力出力比）制御される。
【００５０】
プリント記録検知装置の例において、ウェッブの直線的移動は、記録マークが視界に入りその後スキャニングヘッドを通過する際に、時間的に変化する、センサ信号を上昇させる。アナログセンサ出力信号は通常、ＡＤ変換器によりデジタル信号に変換されて、その後、通常プリント記録検知装置の一部であるか、又はそれに少なくとも作動するように接続する、処理装置／ソフトウエアにより分析されて、異なるプリント記録マークの特徴を識別し、更にプリントプレスの位置的フィードバック制御のためのサブルーチン／コントローラを作動させる。幾つかの装置（システム）において、アナログ信号はアナログ処理装置により分析可能である。
【００５１】
既に検討した利点以上に、非常に低パワー（電力）の固体状態（ソリッドステート）の照明の使用を可能にする、スキャニングヘッドの作動原理は、別の比類ない利点、即ちスキャニングヘッドの固有の本質的安全性を向上させる。それは、従来のスキャニングヘッドとは違って、承認されたパワー制限保護障壁を介して、爆発の可能性のある雰囲気において稼働しても良い。前記従来のスキャニングヘッドは、白熱／タングステン電球を有しており、その電球はその様な承認されたパワー制限保護障壁を介して供給可能なものに比べて、より大きなパワーを必要とする。従来の装置は一般的に、爆発のリスクのある環境においては、重く嵩張っていて高価な防爆ケーシングか又は、遠隔の光源からリスクのある区画の外側に光を運ぶための長い光ファイバーを使用することによってのみ作動可能である。
【００５２】
ＬＥＤを使用する固体状態の照明はまた、ＬＥＤが100,000時間の稼働寿命を超える、例外的に高度な長寿命を有するので、光源の保守において劇的な節約を実現する。
【００５３】
上記のように、本発明のスキャニングヘッドは、プリントプレスにおけるプリント記録のための高度に有効な装置を提供する。そのアセンブリは単純で、有効で、効率的で、用途が広く、更に据え付け及び運転の両面で非常に経済的であり、更に軽量で、非常にコンパクトで、爆発のリスクのある環境において使用可能であり、更に媒体の幅広い範囲に関して精度と信頼性の高度な基準を実現する。実際に、マスク２，３を精密な公差で製作する能力は、従来の記録検知装置に比べて、光学的な上昇及び降下時間を規定することにおいて、より高い精度を可能にし、記録計測においてより高い精度を実現する。
【図面の簡単な説明】
【００５４】
【図１】図１は本発明を具体化するスキャナーヘッドの構成要素の単純化された図式的等角投影図である。
【図２】図２は図１に示される装置の平面図である。
【図３】図３は稼働するスキャナーヘッドにおいて共に組み立てられた構成要素の図式図である。
【符号の説明】
【００５５】
１…スキャニングヘッド・光センサ
２…第１のマスク
３…第２のマスク
４…プリントウエッブ
５…視界フットプリント
６…開口
７…上部境界線
８…下部境界線
９…開口
１５…ＬＥＤ
１６…ＬＥＤ
１８…鏡
１９…バリア壁
２０…ハウジング
【図１】
2004222284.tif 000003
【図２】
2004222284.tif 000004
【図３】
2004222284.tif 000005